(57)【特許請求の範囲】
【請求項１】
アンテナ通し孔が設けられたケースと、
前記アンテナ通し孔に挿通され前記ケース内に設けられたアンテナナットと係合するアンテナホルダーと、
前記アンテナホルダーによって保持されるアンテナと、を備えるアンテナ取付装置において、
前記アンテナホルダーの頭部下辺に前記アンテナ通し孔に接近する第１の傾斜部を設けると共に、前記ケースのアンテナを収納する側壁の底辺部の断面形状において前記アンテナ通し孔に接近する第２の傾斜部を設けるように構成したことを特徴とするアンテナ取付装置。
【請求項２】
水平方向から見た前記第１の傾斜部の傾斜角は水平方向から見た前記第２の傾斜部の傾斜角より大きいことを特徴とする請求項１記載のアンテナ取付装置。
【請求項３】
水平方向から見た前記第２の傾斜部の傾斜角は４５度以上であることを特徴とする請求項１または請求項２記載のアンテナ取付装置。
【請求項４】
前記アンテナホルダーと前記ケースとの間に挟着されるワッシャをさらに備え、前記ワッシャは弾性を有することを特徴とする請求項１から請求項３のいずれか１項に記載のアンテナ取付装置。
【請求項５】
前記ワッシャの弾性部材の材料は、シリコンゴムであることを特徴とする請求項４記載のアンテナ取付装置。
【請求項６】
請求項１から請求項５のいずれか１項に記載のアンテナ取付装置を備えた携帯電話。
【発明の詳細な説明】
【０００１】
【発明の属する技術分野】
本発明は、例えば無線機器や携帯電話機等の電子機器筺体の外部より組付けられるアンテナの取付装置に関し、特にアンテナホルダーの筐体部への取付口をより細径化できるよう構成したものである。
【０００２】
【従来の技術】
従来、無線機器や携帯電話機等の電子機器筺体の外部より組付けられるアンテナを筐体に取付るアンテナ取付装置は、図６ないし図１０に示されるようなものであった。すなわち、図６は従来のアンテナ取付装置により取付けられたアンテナ装置の全体構成を示す図である。図７ないし図１０は従来のアンテナ取付装置の構成を示した断面図である。図７においてはアンテナ11は、アンテナナット15と筐体の一部であるケース13に設けられたアンテナ通し孔およびワッシャ14を介してアンテナホルダー12とネジによって固定されるような取付構造となっており、その際、ケース13のアンテナ11を収納する側壁の底辺部の断面形状はアンテナ通し孔と略平行になされ、かつアンテナホルダー12の頭部下辺もケース13の側壁の底辺部と略平行に設定されていた。
【０００３】
図８ないし図１０は、図７の一部を拡大した示した断面図である。図９はアンテナ軸心とケース軸心との平均的なセンタリング誤差を示すものであり、従来例においては平均的なセンタリング誤差を無くすための工夫がなされていないこともあってセンタリング誤差が大きくＡ２もある。
【０００４】
図１０は、締付けに当りワッシャ14がはみ出したような場合であって、アンテナ11側から見るとこのはみ出しがまともに見えてしまい仕上がり観が良くない。
【０００５】
【発明が解決しようとする課題】
ところで、近年、無線機器、特に携帯電話やＰＨＳなどは各社とも新製品開発の中で無線機器本体の小型化、軽量化、薄型化といった軽薄短小化の動きが活発である。
【０００６】
そのため、アンテナを収納するケース部分も細径化を余儀なくされており、それに対処するような課題が生まれてきた。
【０００７】
しかしながら、上記した従来のアンテナ取付装置では、ケース13のアンテナ11を収納する側壁の底辺部の断面形状はアンテナ通し孔と略平行になされ、かつアンテナホルダー12の頭部下辺もケース13の側壁の底辺部と略平行に設定されていることからこれ以上の細径化は無理であるという問題があった。
【０００８】
そこで、本発明は、アンテナを収納するケース部分の細径化を可能とするアンテナ取付装置を提供することを目的とするものである。
【０００９】
上記問題を解決するために、本発明は、アンテナ通し孔が設けられたケースと、前記アンテナ通し孔に挿通され前記ケース内に設けられたアンテナナットと係合するアンテナホルダーと、前記アンテナホルダーによって保持されるアンテナとを備えるアンテナ取付装置において、前記アンテナホルダーの頭部下辺に前記アンテナ通し孔に接近する第１の傾斜部を設けると共に、前記ケースのアンテナを収納する側壁の底辺部の断面形状において前記アンテナ通し孔に接近する第２の傾斜部を設けるように構成したことを特徴とする。
【００１０】
本発明における請求項１記載の発明は、アンテナ通し孔が設けられたケースと、前記アンテナ通し孔に挿通され前記ケース内に設けられたアンテナナットと係合するアンテナホルダーと、前記アンテナホルダーによって保持されるアンテナとを備えるアンテナ取付装置において、前記アンテナホルダーの頭部下辺に前記アンテナ通し孔に接近する第１の傾斜部を設けると共に、前記ケースのアンテナを収納する側壁の底辺部の断面形状において前記アンテナ通し孔に接近する第２の傾斜部を設けるように構成したことを特徴とするアンテナ取付装置としたものであり、第１の傾斜部と第２の傾斜部を設けることによりアンテナを収納するケースを細径化することができるという作用を有する。
【００１１】
また、請求項２記載の発明は、水平方向から見た前記第１の傾斜部の傾斜角は水平方向から見た前記第２の傾斜部の傾斜角より大きいことを特徴とする請求項１記載のアンテナ取付装置としたものであり、第１の傾斜部と前記第２の傾斜部の傾斜角度が異なることから締め付け時の緩みを防止することができるという作用を有する。また、水平方向から見た第１の傾斜部の傾斜角が第２の傾斜部の傾斜角より大きいことから締め付け時のアンテナホルダーのセンターリングが図られるという作用を有する。
【００１２】
また、請求項３記載の発明は、水平方向から見た前記第２の傾斜部の傾斜角は４５度以上であることを特徴とする請求項２記載のアンテナ取付装置としたものであり、水平方向から見た第２の傾斜部の傾斜角が４５度以上であって傾斜角が大きいことから締め付け時のアンテナホルダーのセンターリングが図られるという作用を有する。
【００１３】
また、請求項４記載の発明は、前記アンテナホルダーと前記ケースとの間に挟着されるワッシャをさらに備え、前記ワッシャは弾性を有することを特徴とする請求項１から請求項３のいずれか１項に記載のアンテナ取付装置としたものであり、締付けがソフトで締付け部材を損傷させることがないという作用を有する。
【００１４】
また、請求項５記載の発明は、前記ワッシャの弾性部材の材料は、シリコンゴムであることを特徴とする請求項４記載のアンテナ取付装置としたものであり、シリコンゴムによる締付けであるので締付け部材を損傷させることがないという作用を有する。
【００１５】
また、請求項６記載の発明は、請求項１から請求項５のいずれか１項に記載のアンテナ取付装置を備えた携帯電話としたものであり、携帯電話機の小型化、薄型化を実現することができる。
【００１６】
以下、本発明の実施の形態について、図面を用いて説明する。
図１は本発明に係るアンテナ取付装置により取付けられたアンテナ装置の全体構成を示す図である。また図１１は、図１のアンテナ装置を組付けるための組付け動作図である。図１１においては、ケース３のアンテナ通し孔に向けてワッシャ４、アンテナホルダー２、そしてアンテナ１が組付けられるようにしている。また、ケース３（筐体）内では、アンテナカバーが接続されているアンテナナットにさらにアンテナターミナル６が組付けられ、それがケース３のアンテナ通し孔に載置される。この後、アンテナホルダー２に設けられているネジをアンテナナットに固定することによりアンテナ１をケース内に収納することができるようになる。
【００１７】
図２ないし図５は、本発明の実施形態に係るアンテナ取付装置の構成を示した断面図である。図２においてはアンテナ１がケース３内に収納された状態を示しており、図２においてアンテナホルダー２は、ワッシャ４、アンテナ通し孔を介してアンテナナット５と結合される。そして、図３に示されるように、アンテナホルダー２の頭部下辺において、第１の傾斜部７が設けられてこれがアンテナ通し孔に接近するようにされる。また、ケース３のアンテナ１を収納する側壁の底辺部の断面形状において第２の傾斜部８が設けられてこれがアンテナ通し孔に接近するようにされる。
【００１８】
この際、第１の傾斜部７と第２の傾斜部８の傾斜角度（各々θ２およびθ１とする）はそれぞれ異ならしめるようにされ、水平方向に対して第２の傾斜部８の傾斜角（θ１）が第１の傾斜部７の傾斜角（θ２）よりも小さくなる、いいかえれば第１の傾斜部７の傾斜角（θ２）が第２の傾斜部８の傾斜角（θ１）よりも大きくなるように設定され且つ第２の傾斜部８の傾斜角（θ１）は45度以上に設定されている。
【００１９】
本発明に係るアンテナ取付装置の動作について、図２ないし図５を用いて説明する。図示していない治具を使ってアンテナホルダー２をアンテナナット５に締付け取付けるわけであるが、この締付けに当たってアンテナホルダー２の頭部下辺はワッシャ４（シリコンゴムなどの弾性部材で構成されている）を介してケース３のアンテナ１を収納する側壁の底辺部の第２の傾斜部８に沿ってセンターリングされる。それにつれて第１の傾斜部７も第２の傾斜部８の底辺に当接することにより、しっかりと締付けが行なわれる。
【００２０】
図４は、締付け後のアンテナ軸心とケース軸心との平均的なセンタリング誤差を示すものであり、図４において本発明の平均的なセンタリング誤差は高々Ａ１であるにしぎない。しかしながら、従来例の場合の平均的なセンタリング誤差はＡ２もあり、明らかに従来例よりも改善されていることが理解できる。
【００２１】
さらに、図５は、締付けに当りワッシャ４がはみ出したような場合であっても、上記のように第１及び第２の傾斜部が設けられているのでアンテナ１側から見てもこれが目立たないようにすることができ、仕上がりの美観も従来より増すことができる。
【００２２】
またさらに、アンテナホルダー２の頭部下辺に第１の傾斜部７が設けられているのでワッシャ４も従来の構成よりも小型化することができるし、アンテナ装置自身も細径化、小型化することができることになる。
【００２３】
以上の説明から明らかなように、本発明は、アンテナ通し孔が設けられたケースと、前記アンテナ通し孔に挿通され前記ケース内に設けられたアンテナナットと係合するアンテナホルダーと、前記アンテナホルダーによって保持されるアンテナとを備えるアンテナ取付装置において、前記アンテナホルダーの頭部下辺に前記アンテナ通し孔に接近する第１の傾斜部を設けると共に、前記ケースのアンテナを収納する側壁の底辺部の断面形状において前記アンテナ通し孔に接近する第２の傾斜部を設けるように構成したことを特徴とするものであり、第１の傾斜部と第２の傾斜部を設けることによりアンテナを収納するケースを細径化することができるという効果を有する。それにつれて無線機器本体の小型化、軽量化、薄型化を実現することが可能となる。
【図面の簡単な説明】
【図１】本発明の実施の形態に係るアンテナ取付装置により取付けられたアンテナ装置の全体構成を示す図、
【図２】本発明の実施の形態に係るアンテナ取付装置の構成を示す断面図、
【図３】本発明の実施の形態に係るアンテナ取付装置の一部を拡大した示した断面図、
【図４】センタリング誤差を説明するための本発明の実施の形態に係るアンテナ取付装置の一部を拡大した示した断面図、
【図５】ワッシャのはみ出しを説明するための本発明の実施の形態に係るアンテナ取付装置の一部を拡大した示した断面図、
【図６】従来のアンテナ取付装置により取付けられたアンテナ装置の全体構成を示す図、
【図７】従来のアンテナ取付装置の構成を示す断面図、
【図８】従来のアンテナ取付装置の一部を拡大した示した断面図、
【図９】センタリング誤差を説明するための従来のアンテナ取付装置の一部を拡大した示した断面図、
【図１０】ワッシャのはみ出しを説明するための従来のアンテナ取付装置の一部を拡大した示した断面図、
【図１１】図１のアンテナ装置を組付けるための組付け動作図である。
【符号の説明】
１、11  アンテナ
２、12  アンテナホルダー本体部
３、13  ケース
４、14  ワッシャ
５、15  アンテナナット
６  アンテナターミナル
７  第１の傾斜部
８  第２の傾斜部
【図１】
0004082806.tif 000002
【図２】
0004082806.tif 000003
【図３】
0004082806.tif 000004
【図４】
0004082806.tif 000005
【図５】
0004082806.tif 000006
【図６】
0004082806.tif 000007
【図７】
0004082806.tif 000008
【図８】
0004082806.tif 000009
【図９】
0004082806.tif 000010
【図１０】
0004082806.tif 000011
【図１１】
0004082806.tif 000012